(57)【特許請求の範囲】
【請求項１】
複数系統の光伝送路と、各系統の前記光伝送路を介して主信号を送受する光送信機および光受信機と、前記複数系統の前記光伝送路の途中で光増幅器により前記主信号を増幅して中継する光増幅中継器とを備える光中継システムにおいて、
前記光送信機は、前記光増幅中継器に対して、前記光増幅中継器の内部回路の監視指示および前記光増幅中継器への制御指示を第１の副信号として送信し、
前記光増幅中継器は、前記複数系統の光伝送路の前記主信号をそれぞれ増幅して中継する複数のサブモジュールを有し、
前記各サブモジュールは、前記各サブモジュールのデータ及び前記制御指示に対応した処理を実行する制御プログラムを取得し、取得した該データ及び該制御プログラムを用いて隣接する他の前記サブモジュールのデータ及び制御プログラムを更新し、前記光伝送路を介して前記監視指示を受信すると、その監視指示に対応する監視結果を示す監視信号を第２の副信号として前記光受信機に送信し、前記光伝送路を介して所定の前記制御指示を受信すると、その制御指示に基づいて他の前記サブモジュールを初期化することを特徴とする光中継システム。
【発明の詳細な説明】
【０００１】
【発明の属する技術分野】
この発明は複数系統の光伝送路と、各系統の光伝送路を介して主信号を送受する光送信機および光受信機と、複数系統の光伝送路の途中で光増幅器により主信号を増幅して中継する光増幅中継器とを備える光中継システム、およびその光増幅中継器を制御する光増幅中継器制御方法に関するものである。
【０００２】
【従来の技術】
図４は、例えば日本国特許第２，７１６，８８２号公報に記載の従来の光中継システムを示すブロック図である。図４において、１は情報伝達用の主信号および光増幅中継器３への指令を有する第１の副信号を送信する光送信機であり、２は光送信機１、光増幅中継器３および光受信機４を接続する光伝送路を構成する光ファイバであり、３は光ファイバ２の途中で光増幅器により主信号を増幅して中継するとともに、第１の副信号の指令に対応して得られた監視情報を第２の副信号として主信号に重畳する光増幅中継器であり、４は主信号などを受信する光受信機である。
【０００３】
図５は図４における光増幅中継器の構成を示すブロック図である。図５に示す光増幅中継器３において、１０１は入力光信号を分岐するカプラであり、１０２はアイソレータ１１１、ポンプ用レーザダイオード１１２、合波フィルタ１１３、エルビウム（Ｅｒ）ドープトファイバ１１４、およびアイソレータ１１５で構成された光増幅器であり、１０３は光増幅器１０２により増幅された光信号を分岐し、一方を出力光信号として出力するカプラである。
【０００４】
また、図５において、１２１は光信号を電気信号に変換する光電変換器であり、１２２は電気信号を増幅する増幅器であり、１２３は副信号を透過する低域フィルタであり、１２４は第１の副信号に自局宛の動作指令信号が含まれているか否かを判断する自局呼出識別回路であり、１２５は自局宛の動作指令信号に応じて符号化回路１３１および変調器１３２を動作させる制御回路であり、１３１は光増幅中継器３の出力光信号パワー値、光増幅器１０２の増幅度、ポンプ用レーザダイオード１１２への駆動電流値および温度などの中継器内情報を符号化する符号化回路であり、１３２は符号化後の中継器内情報を有する監視信号で、ポンプ用レーザダイオード駆動回路１３３からポンプ用レーザダイオード１１２への駆動電流を変調する変調器である。１３４はポンプ用レーザダイオード１１２を温度制御する温度制御回路であり、１４１は光信号を電気信号に変換する光電変換器であり、１４２は電気信号を増幅する増幅器である。
【０００５】
図６は図４における光送信機の構成を示すブロック図である。図６に示す光送信機１において、２０１は情報伝送に使用する主信号を出力する主信号回路であり、２０２は光増幅中継器を指定した動作指令を有する第１の副信号を出力する副信号回路であり、２０３は所定の変調方式で主信号に第１の副信号を重畳する変調回路であり、２０４は主信号に第１の副信号を重畳した信号を供給され、その信号で半導体レーザ２０５を駆動する駆動回路であり、２０５は印加された電気信号に対応する光信号を光ファイバ２に出力する半導体レーザである。
【０００６】
図７は図４における光受信機の構成を示すブロック図である。図７に示す光受信機４において、３０１は光ファイバ２からの入力光信号を電気信号に変換する光電変換器であり、３０２は電気信号を増幅する増幅器であり、３０３は受信信号のうちの主信号を復調する主信号復調器であり、３０４は受信信号のうちの第１および第２の副信号を透過する低域フィルタであり、３０５は受信信号のうちの第１および第２の副信号を復調する副信号復調器である。
【０００７】
次に動作について説明する。
まず、光送信機１では、副信号回路２０２が、主信号回路２０１より出力される主信号に対して小さな振幅かつ低い速度で、各光増幅中継器固有のアドレスコードで１つの光増幅中継器３を指定した動作指令を有する第１の副信号を生成し、変調回路２０３が、主信号に第１の副信号を重畳した信号を駆動回路２０４に供給する。半導体レーザ２０５からの出力光信号は、主信号が変調されたものであって、第１の副信号が重畳されている。指定された光増幅中継器３からその第１の副信号に対応して、監視信号が第２の副信号として送出されるため、光増幅中継器３への動作指令の第１の副信号を送信した後、副信号が重なることのないように適当な時間間隔をあけて、光送信機１から次の光増幅中継器３への動作指令が第１の副信号として送信される。
【０００８】
次に、光増幅中継器３では、入力側の光ファイバ２からの入力光信号がカプラ１０１により分岐され、分岐された入力光信号の一方が光増幅器１０２に入射し、光増幅器１０２により増幅され、他方が光電変換器１２１に入射し光電変換器１２１により電気信号に変換される。そして、その電気信号が増幅器１２２により増幅され、主信号より低周波数である第１の副信号が低域フィルタ１２３により抽出して自局呼出識別回路１２４に供給される。自局呼出識別回路１２４は、光送信機１が自局に対して動作指令を発したか否かをその第１の副信号に含まれるアドレスコードに基づいて判別し、その判別結果を制御回路１２５に通知する。制御回路１２５は、自局に対して動作指令があった場合、符号化回路１３１と変調器１３２を動作させてポンプ用レーザダイオード駆動回路１３３からポンプ用レーザダイオード１１２への駆動電流を、中継器内情報を有する第２の副信号で変調させる。ポンプ用レーザダイオード１１２への駆動電流が第２の副信号で変調されるため、光増幅器１０２の増幅度が変調され、光増幅器１０２からの出力光信号は、主信号に第２の副信号が重畳されたものになる。なお、制御回路１２５は、自局に対する動作指令がない場合には、制御回路１２５は符号化回路１３１と変調器１３２を動作させない。このため、ポンプ用レーザダイオード１１２は無変調の駆動電流で駆動される。
【０００９】
そして光受信機４では、光ファイバ２からの入力光信号が光電変換器３０１により電気信号に変換され、その電気信号が増幅器３０２により増幅される。増幅された電気信号は主信号復調器３０３に供給される。また、その電気信号から低域フィルタ３０４により第１および第２の副信号が抽出され、副信号復調器３０５に供給され、光送信機１からの第１の副信号より光増幅中継器３への動作指令が復調され、光増幅中継器３からの第２の副信号より中継器内情報が復調され、各光増幅中継器３の動作状態が監視可能になる。
【００１０】
このようにして、光送信機１は光増幅中継器３を１局ずつ選択し、動作指令を主信号に重畳して出力し、各光増幅中継器３は自局宛の動作指令を受信すると自局内の監視情報を主信号に重畳し、光受信機４へ向けて出力し、光受信機４は各光増幅中継器３からの監視情報を順番に復調する。
【００１１】
【発明が解決しようとする課題】
従来の光中継システムおよび光増幅中継器制御方法は以上のように構成されているので、光増幅中継器が制御プログラムで制御されている場合、その制御プログラムに従った正常な処理を継続できないような例外が発生すると、正常な処理を再開することが困難になるなどの課題があった。すなわち、第１の副信号の受信処理も正常に実行することが困難である場合、その光増幅中継器の制御プログラムを再起動させることが困難であった。
【００１２】
この発明は上記のような課題を解決するためになされたもので、光送信機が、光増幅中継器に対して、光増幅中継器の内部回路の監視指示および光増幅中継器への制御指示を第１の副信号として送信し、光増幅中継器における、複数系統の光伝送路の主信号をそれぞれ増幅して中継する複数のサブモジュールのいずれかが、光伝送路を介して監視指示および制御指示を受信し、サブモジュールが、監視指示を受信した場合、その監視指示に対応する監視結果を示す監視信号を第２の副信号として光受信機に送信し、所定の制御指示を受信した場合、その制御指示に基づいて他のサブモジュールを初期化するようにして、障害の発生したサブモジュールを簡単に正常な動作状態に復帰させることができる光中継システムおよび光増幅中継器制御方法を得ることを目的とする。
【００１３】
【課題を解決するための手段】
この発明に係る光中継システムは、複数系統の光伝送路と、各系統の光伝送路を介して主信号を送受する光送信機および光受信機と、複数系統の光伝送路の途中で光増幅器により主信号を増幅して中継する光増幅中継器とを備える光中継システムにおいて、光送信機は、光増幅中継器に対して、光増幅中継器の内部回路の監視指示および光増幅中継器への制御指示を第１の副信号として送信し、光増幅中継器は、複数系統の光伝送路の主信号をそれぞれ増幅して中継する複数のサブモジュールを有し、  前記各サブモジュールは、前記各サブモジュールのデータ及び前記制御指示に対応した処理を実行する制御プログラムを取得し、取得した該データ及び該制御プログラムを用いて隣接する他の前記サブモジュールのデータ及び制御プログラムを更新し、前記光伝送路を介して前記監視指示を受信すると、その監視指示に対応する監視結果を示す監視信号を第２の副信号として前記光受信機に送信し、前記光伝送路を介して所定の前記制御指示を受信すると、その制御指示に基づいて他の前記サブモジュールを初期化するものである。
【００２０】
【発明の実施の形態】
以下、この発明の実施の一形態を説明する。
実施の形態１．
図１はこの発明の実施の形態１による光中継システムの構成を示すブロック図である。図１において、６０１は光ファイバ６０２−１，６０２−２による上り系および下り系の双方向光伝送路の終端である光送信機６１１および光受信機６１２、並びに、給電線路を介して各光増幅中継器６０３に給電する給電回路６１３を有する線路監視装置である。なお、光送信機６１１および光受信機６１２は図６および図７に示すものと同様に構成される。
【００２１】
また、図１において、６０２−１，６０２−２は、双方向の光伝送路を構成する光ファイバであり、６０３は複数系統の双方向光伝送路について、主信号を増幅するとともに、第１の副信号を受信しそれに対応する処理を実行する複数のサブモジュール６２１を有する光増幅中継器である。図１においては、光ファイバ６０２−１および光ファイバ６０２−２の光ファイバペア６０４を１系統の１双方向光伝送路として、２系統の双方向光伝送路が設けられている。
【００２２】
なお、各サブモジュール６２１において、６３１−１は上り系の光伝送路（光ファイバ６０２−１）に設けられ、主信号を増幅する光増幅器であり、６３１−２は下り系の光伝送路（光ファイバ６０２−２）に設けられ、主信号を増幅する光増幅器であり、６３２は上り系の光伝送路または下り系の光伝送路を介して光送信機６１１からの自局宛の監視指示を受信すると、その監視指示に対応する監視結果を示す監視信号を第２の副信号として上り系の光伝送路および下り系の光伝送路を介してそれぞれの光受信機６１２に送信し、上り系の光伝送路（または下り系の光伝送路）を介して制御指示を受信すると、その制御指示に基づいて、光増幅器６３１−１（光増幅器６３１−２）の増幅度を制御する監視制御部である。
【００２３】
図２は図１における光増幅器６３１−１，６３１−２の構成を示すブロック図である。図２において、７０１は入力光信号を分岐するカプラであり、７０２は光信号にポンプ用レーザ光を合成するＷＤＭ（Wavelength Division Multiplexing）カプラであり、７０３はエルビウム（Ｅｒ）ドープトファイバであり、７０４はアイソレータであり、７０５は増幅後の光信号を分岐し、一方を出力光信号として出力するカプラである。７０６は光信号を電気信号に変換する光電変換器であり、７０７はＷＤＭカプラ７０２を介してポンプ用レーザ光をエルビウム（Ｅｒ）ドープトファイバ７０３に印加するポンプ用レーザダイオードであり、７０８は光信号を電気信号に変換する光電変換器である。
【００２４】
図３は図１における監視制御部６３２の構成を示すブロック図である。図３において、６５１は、いずれかの線路監視装置６０１の光送信機６１１からの第１の副信号を抽出し復調するとともに、ポンプ用レーザダイオード駆動回路６５３−１，６５３−２を制御して、監視指示に応じて得られた各種中継器内情報を有する監視信号で、ポンプ用レーザダイオード７０７への駆動電流を変調させ、監視信号を第２の副信号として主信号に重畳させる変復調部である。６５２は、第１の副信号から自局宛の監視指示を検出すると、中継器内情報を収集し、その中継器内情報を示す監視信号を変復調部６５１に供給するとともに、第１の副信号から自局宛の所定の制御指示を検出すると、ポンプ用レーザダイオード駆動回路６５３−１，６５３−２を制御して、光増幅器６３１−１，６３１−２の増幅度を制御する制御部である。６６１は、光増幅器６３１−１，６３１−２の増幅度の設定値や中継器内情報などを記憶するＦＲＡＭ（Ferro-electric Random Access Memory）、ＭＲＡＭ（Magneto-resistive Random Access Memory）などの不揮発性記憶部である。６５３−１は光増幅器６３１−１のポンプ用レーザダイオード７０７へ駆動電流を供給するポンプ用レーザダイオード駆動回路であり、６５３−２は光増幅器６３１−２のポンプ用レーザダイオード７０７へ駆動電流を供給するポンプ用レーザダイオード駆動回路である。
【００２５】
なお、制御部６５２は、制御プログラムを記憶したＲＯＭ（Read Only Memory）、ワーキングメモリとしてのＲＡＭ、ＣＰＵ（Central Processing Unit）などを有するマイクロコンピュータとして実現される。また、監視制御部６３２全体をマイクロコンピュータとして実現するようにしてもよい。
【００２６】
次に動作について説明する。
光伝送路の両端に設けられた線路監視装置６０１の給電回路６１３が給電線路６１４を介して各光増幅中継器６０３に給電する。
そして、まず、線路監視装置６０１の光送信機６１１は、対向する線路監視装置６０１の光受信機６１２に向けて主信号を送信するとともに、特定の光増幅中継器６０３へ監視指令または制御指令を送信する場合、その特定の光増幅中継器６０３固有のアドレスコード並びに監視指令または制御指令を有する第１の副信号を主信号に重畳する。
なお、光送信機６１１は、主信号でキャリアを変調し、さらに第１の副信号を重畳して、処理後の電気信号を光信号に変換し、その光信号を光ファイバ６０２−１（または光ファイバ６０２−２）に出力する。
【００２７】
次に、光増幅中継器６０３では、光ファイバ６０２−１（６０２−２）を介して光信号が供給されると、まず、カプラ７０１で分岐され、分岐後の一方の光信号はＷＤＭカプラ７０２を介してＥｒドープトファイバ７０３に入力される。このとき、ポンプ用レーザダイオード７０７からのポンプ用レーザ光がＷＤＭカプラ７０２により合成される。そして、Ｅｒドープトファイバ７０３で増幅された光信号がアイソレータ７０４を介してカプラ７０５に入射し、カプラ７０５により分岐され、分岐後の一方の光信号が光ファイバ６０２−１（６０２−２）に出力される。このようにして、光増幅中継器６０３の光増幅器６３１−１（６３１−２）により主信号が増幅、中継される。
【００２８】
一方、カプラ７０１による分岐後の他方の光信号は光電変換器７０６により電気信号に変換され、その電気信号が監視制御部６３２の変復調部６５１に供給される。同様に、カプラ７０５による分岐後の他方の光信号は光電変換器７０８により電気信号に変換され、その電気信号が監視制御部６３２の変復調部６５１に供給される。
【００２９】
変復調部６５１は、光電変換器７０６からの電気信号より第１の副信号のみを抽出、復調し、制御部６５２に供給する。また、変復調部６５１は、光電変換器７０８からの電気信号より出力光信号のパワー値を測定し、制御部６５２に通知する。
【００３０】
制御部６５２は、不揮発性記憶部６６１に記憶されている自局固有のアドレスコードを参照して、第１の副信号にその自局固有のアドレスコードと同一のアドレスコードが含まれているか否かを判断する。制御部６５２は、第１の副信号にその自局固有のアドレスコードと同一のアドレスコードが含まれている場合には、その第１の副信号に含まれる監視指令または制御指令に対応する処理を実行し、第１の副信号にその自局固有のアドレスコードと同一のアドレスコードが含まれていない場合には、その第１の副信号を無視する。
【００３１】
制御部６５２は、自局宛の監視指令を検出すると、その監視指令に応じて、主信号に対する第１および第２（後述）の副信号の変調度（第１および第２の副信号の振幅強度）、光増幅中継器６０３の入力光信号および出力光信号パワー値、光増幅器６３１−１，６３１−２の増幅度、ポンプ用レーザダイオード７０７への駆動電流値などの中継器内情報を収集する。
【００３２】
監視指令としては、中継器内情報の収集を開始させる開始指令、中継器内情報収集後に、収集した中継器内情報のうち光受信機６１２に送信する情報を選択する選択指令、選択した情報を送信させる送信指令などがあり、例えば、光送信機６１１は、まず開始指令を発してから、中継器内情報の収集が完了するのに十分な時間が経過すると、選択指令を発し、その後、送信指令を発する。なお、このように指令を分割せずに、１つの指令として、これらの一連の指令を通知するようにしてもよい。
【００３３】
中継器内情報の収集後、制御部６５２は、その情報のアナログ値をデジタルデータに変換して変復調部６５１に供給し、変復調部６５１は、そのデータで、主信号のキャリアとは異なる所定のサブキャリアを変調して監視信号を生成し、ポンプ用レーザダイオード駆動回路６５３−１，６５３−２を制御して、その監視信号で、光増幅器６３１−１のポンプ用レーザダイオード７０７への駆動電流、および光増幅器６３１−２のポンプ用レーザダイオード７０７への駆動電流を変調して、その監視信号を第２の副信号として上り系および下り系の両方向の主信号に重畳する。なお、制御部６５２は、このデジタルデータを所定の量子化誤差以内で生成し、図示せぬ記憶部に一旦記憶し、選択指令を検出すると、その記憶部から、選択された監視情報のデータを読み出す。
また、制御部６５２は、自局宛の制御指令を検出すると、その制御指令に応じて内部回路を制御する。
【００３４】
制御指令としては、指令を受信したサブモジュール６２１の制御部６５２の制御プログラムを再起動し、サブモジュール６２１を初期化する再起動指令、指令を受信したサブモジュール６２１とは別のサブモジュール６２１（すなわち、別の系統に対応するサブモジュール６２１）の制御部６５２の制御プログラムを再起動し、その別のサブモジュール６２１を初期化する別サブモジュール再起動指令などがある。
【００３５】
制御部６５２は、再起動指令を検出した場合、自己の制御プログラムを再起動し、別サブモジュール再起動指令を検出した場合、別のサブモジュール６２１の制御部６５２に、再起動指令を供給して、その制御部６５２の制御プログラムを再起動させる。制御部６５２を構成するマイクロコンピュータには通常、リセット端子が設けられており、そのリセット端子に所定の信号が印加されると、再起動するようになされており、この場合、制御部６５２は、そのリセット端子に所定の信号を印加して別のサブモジュール６２１の制御部６５２を再起動させる。
【００３６】
そして監視指令を送信した線路監視装置６０１に対向する線路監視装置６０１の光受信機６１２が、光ファイバ６０２−１，６０２−２を介して光信号を受信し、電気信号に変換した後、主信号並びに第１および第２の副信号をそれぞれ復調する。また、監視指令を送信した線路監視装置６０１の光受信機６１２も同様に、逆方向の光ファイバ６０２−２，６０２−１を介して第２の副信号を受信する。線路監視装置６０１は、第２の副信号で得られた監視情報を図示せぬディスプレイに表示したり、図示せぬプリンタで印字したりする。
【００３７】
なお、監視制御部６３２は、自局宛の指令を受信しない場合には、基準電流でポンプ用レーザダイオード７０７を駆動するのみであり、第２の副信号の重畳などは実行しない。また、光増幅中継器６０３の監視および制御は、各系統の光伝送路を介してサブモジュール６２１毎に個別的に実行することが可能である。
【００３８】
ここで、あるサブモジュール６２１の監視制御部６３２で制御プログラムにおける例外などの障害が発生した場合に、その監視制御部６３２を再起動させる場合について説明する。
この場合、障害が発生したサブモジュール６２１に対応する系統の光伝送路を介して第１の副信号により再起動指令を、その障害が発生したサブモジュール６２１に受信させることが困難であり、そのサブモジュール６２１の動作を正常に戻すことが困難である。この状態では、そのサブモジュール６２１からの監視情報を取得することが困難であるため、そのサブモジュール６２１の動作を正常に戻すことが必要になる。
【００３９】
そこで、線路監視装置６０１は、他の系統の光伝送路を介して、その障害が発生したサブモジュール６２１が所在する光増幅中継器６０３における他のサブモジュール６２１宛で、その障害が発生したサブモジュール６２１を初期化させるための別サブモジュール再起動指令を第１の副信号として送信する。
【００４０】
別サブモジュール再起動指令を受信したサブモジュール６２１の監視制御部６３２の制御部６５２は、その別サブモジュール再起動指令で指定されたサブモジュール６２１の制御部６５２の制御プログラムを再起動させ、サブモジュール６２１の動作状態を初期状態にする。これにより、サブモジュール６２１の動作状態は、元の正常な動作状態に戻る。  
このようにして、障害の発生したサブモジュール６２１を正常状態に復帰させる。
【００４１】
なお、各サブモジュール６２１の制御部６５２は、再起動時などに適宜、自己診断プログラムに従って自己の監視制御部６３２の診断を実行し、その診断結果を隣接のサブモジュール６２１の変復調部６５１に供給する。この診断結果は、線路監視装置６０１に送信され、それに基づいてサブモジュール６２１の障害が検出される。
【００４２】
また、各サブモジュール６２１間で、データや制御プログラムの授受を実行するようにしてもよい。すなわち、サブモジュール６２１における制御部６５２の不揮発性記憶部６６１にデータや制御プログラムを記憶させておき、自己の不揮発性記憶部６６１に記憶されているデータや制御プログラムで、隣接のサブモジュール６２１における制御部６５２の不揮発性記憶部６６１に記憶されているものを更新するようにしてもよい。また、サブモジュール６２１の制御部６５２が線路監視装置６０１から新たなデータや制御プログラムを取得し、その新たなデータや制御プログラムで、隣接のサブモジュール６２１における制御部６５２の不揮発性記憶部６６１に記憶されている新たなデータや制御プログラムを更新するようにしてもよい。
【００４３】
以上のように、この実施の形態１によれば、光送信機６１１が、光増幅中継器６０３に対して、光増幅中継器６０３の内部回路の監視指示および光増幅中継器６０３への制御指示を第１の副信号として送信し、光増幅中継器６０３における、複数系統の光伝送路の主信号をそれぞれ増幅して中継する複数のサブモジュール６２１のいずれかが光伝送路を介して監視指示および制御指示を受信し、サブモジュール６２１が、監視指示を受信した場合、その監視指示に対応する監視結果を示す監視信号を第２の副信号として光受信機６１２に送信し、所定の制御指示を受信した場合、その制御指示に基づいて他のサブモジュール６２１を初期化するようにしたので、障害の発生したサブモジュール６２１を簡単に正常な動作状態に復帰させることができるという効果が得られる。
【００４４】
参考例１．
この発明の参考例１による光中継システムは、必要に応じて、各サブモジュール６２１が、制御指示に基づいて、第２の副信号を送信する光伝送路を、別のサブモジュール６２１を介して別の系統の光伝送路に切り替えるようにしたものである。
【００４５】
すなわち、例えば２系統の上り系および下り系の光伝送路がある場合、一方の系統の光伝送路に障害があるときには、障害のある系統に対応するサブモジュール６２１における監視制御部６３２の制御部６５２が、他方の、障害のない系統に対応するサブモジュール６２１における監視制御部６３２の変復調部６５１を制御して、障害のある系統で第２の副信号を送信することが困難な光受信機６１２に向けて第２の副信号を送信させる。
なお、参考例１による光中継システムの構成およびその他の動作については実施の形態１によるものと同様であるので、省略する。
【００４６】
以上のように、この参考例１によれば、複数系統の上り系および下り系の光伝送路のうち、第１の副信号を受信した系統と異なる系統の光伝送路を介して第２の副信号を光受信機６１２に向けて送信するようにしたので、例えばいずれかの系統に障害が発生しても監視情報を取得することができ、冗長性が向上するという効果が得られる。
【００４７】
なお、上記実施の形態１，参考例１では、光増幅中継器６０３の数が２であるが、他の数でもよい。また、２系統の上り系／下り系の光ファイバ６０２−１，６０２−２が設けられているが、光ファイバ６０２−１，６０２−２の系統数は他の数でもよい。
【００４８】
【発明の効果】
以上のように、この発明の光中継システムによれば、複数系統の光伝送路と、各系統の光伝送路を介して主信号を送受する光送信機および光受信機と、複数系統の光伝送路の途中で光増幅器により主信号を増幅して中継する光増幅中継器とを備える光中継システムにおいて、光送信機は、光増幅中継器に対して、光増幅中継器の内部回路の監視指示および光増幅中継器への制御指示を第１の副信号として送信し、光増幅中継器は、複数系統の光伝送路の主信号をそれぞれ増幅して中継する複数のサブモジュールを有し、  前記各サブモジュールは、前記各サブモジュールのデータ及び前記制御指示に対応した処理を実行する制御プログラムを取得し、取得した該データ及び該制御プログラムを用いて隣接する他の前記サブモジュールのデータ及び制御プログラムを更新し、前記光伝送路を介して前記監視指示を受信すると、その監視指示に対応する監視結果を示す監視信号を第２の副信号として前記光受信機に送信し、前記光伝送路を介して所定の前記制御指示を受信すると、その制御指示に基づいて他の前記サブモジュールを初期化するので、障害の発生したサブモジュールを簡単に正常な動作状態に復帰させることができるという効果がある。また、各サブモジュールが、別のサブモジュールのデータや制御プログラムを更新するので、光増幅中継器における各サブモジュールのデータや制御プログラムの保守、管理を簡単にすることができるという効果がある。
【図面の簡単な説明】
【図１】  この発明の実施の形態１による光中継システムの構成を示すブロック図である。
【図２】  図１における光増幅器の構成を示すブロック図である。
【図３】  図１における監視制御部の構成を示すブロック図である。
【図４】  従来の光中継システムを示すブロック図である。
【図５】  図４における光増幅中継器の構成を示すブロック図である。
【図６】  図４における光送信機の構成を示すブロック図である。
【図７】  図４における光受信機の構成を示すブロック図である。
【符号の説明】
６０１  線路監視装置、６０２−１，６０２−２  光ファイバ、６０３  光増幅中継器、６０４  光ファイバペア、６１１  光送信機、６１２  光受信機、６１３  給電回路、６２１  サブモジュール、６３１−１，６３１−２  光増幅器、６３２  監視制御部、６５１  変復調部、６５２  制御部、６５３−１，６５３−２  ポンプ用レーザダイオード駆動回路、６６１  不揮発性記憶部、７０１カプラ、７０２  ＷＤＭカプラ、７０３  エルビウム（Ｅｒ）ドープトファイバ、７０４  アイソレータ、７０５  カプラ、７０６  光電変換器、７０７  ポンプ用レーザダイオード、７０８  光電変換器。
【図１】
0003946468.tif 000002
【図２】
0003946468.tif 000003
【図３】
0003946468.tif 000004
【図４】
0003946468.tif 000005
【図５】
0003946468.tif 000006
【図６】
0003946468.tif 000007
【図７】
0003946468.tif 000008